(57)【要約】【課題】高齢者などの手が不自由な人が食事をするときに、食物をスプーンですくうことが困難なことにより、食物を口に運ぶのに手間取ることを防止または抑制することができ、食物をスプーンですくうことができず、スプーンで押して滑らせ皿の外に食物を押し出すことでテーブルや衣服を汚してしまうことを防止または抑抑することができる凹凸付皿を提供する。【解決手段】凹凸付皿１００は、半円状の突起１０ｂを有しており、スペーサー１０ａの高さＨ１が、半円状の突起１０ｂの高さＨ２よりも高く形成されていることにより、スプーンが側部２０に当接することを防止または抑制することができる。凹凸付皿１００は、半円状の突起１０ｂにより皿の上のスプーンの滑りが抑制され食物をすくうことが容易になり、またスペーサー１０ａにスプーンが当接することにより食物を押し出すことが防止または抑制される。【選択図】図１
0003221436.tif 000002
【実用新案登録請求の範囲】
【請求項１】
底部と側部を有し、前記底部と前記側部の境界線を介して一体的に形成されている凹凸付皿であって、
前記底部の上面には、前記境界線の一部または全部から予め定められた長さの領域に、予め定められた高さを有するスペーサーが設けられており、
前記スペーサーの内側の前記底部の上面に、予め定められた高さの凹凸が形成されており、
前記スペーサーの予め定められた高さが、前記凹凸の予め定められた高さより、大きくなるように形成されていることを特徴とする凹凸付皿。
【請求項２】
前記凹凸は、複数の半円状の突起であり、
前記スペーサーの予め定められた高さが、前記複数の半円状の突起のそれぞれの高さより、大きくなるように形成されていることを特徴とする請求項１に記載の凹凸付皿。
【請求項３】
前記底部は、長方形状、矩形状、楕円状または円状となるように形成されていることを特徴とする請求項１または請求項２に記載の凹凸付皿。
【請求項４】
合成樹脂、陶器、磁器、漆器、ガラス製、金属製、木製で形成されていることを特徴とする請求項１から請求項３のいずれかに記載の凹凸付皿。
【考案の詳細な説明】
【技術分野】
【０００１】
本考案は、凹凸付皿に関する。
【背景技術】
【０００２】
高齢者、幼児、障害者などの手が不自由な人が食事をするときに容易に使用できる皿が開示されている。
【先行技術文献】
【特許文献】
【０００３】
【特許文献１】特開２００６−２７１９２１
【考案の概要】
【考案が解決しようとする課題】
【０００４】
高齢者、幼児、障害者などの手が不自由な人が、スプーンなどで食事をするときに、例えば、食物をスプーンですくうことが難しく、食物を口に運ぶのに手間取ることがあり、皿の上の食物をスプーンでうまくすくうことができず食物をスプーンで押して滑らせて皿の外に食物を押し出すことにより、テーブル、衣服などを汚してしまうという問題があった。また、普通の大人が食物をスプーンですくう場合でも、皿の食物が少なくなると、スプーンの上に載らずにスプーンで押されて滑り、皿の底部から皿の緩斜面の外周部を通過して外にこぼれ落ち、テーブルなどを汚すこともあり、皿に盛った食べ物をスプーンですくうのは容易でないという問題があった。
【０００５】
本考案は、こうした点に鑑みてなされたものであり、特に、高齢者、幼児、障害者などの手が不自由な人が食事をするときに、食物をスプーンですくうことが困難なことにより、食物を口に運ぶのに手間取ることを防止または抑制することができ、また、皿の上の食物をスプーンでうまくすくうことができず、食物をスプーンで押して滑らせてしまい皿の外に食物を押し出してしまい、テーブルや衣服を汚してしまうことを防止または抑制することができる凹凸付皿を提供することである。また、普通の大人においても、皿上の食べ物をスプーンですくう場合に、皿上の食べ物が少なくなると、皿上の食べ物は、スプーンの上に載らずに、スプーンで押されて滑り、皿の底部上から皿の緩斜面の外周部上を通過して、皿の外にこぼれ落ちテーブルを汚してしまうことがあり、このようなことを防止または抑制することができる凹凸付皿を提供することである。
【課題を解決するための手段】
【０００６】
上記課題を解決するために、本考案に係る凹凸付皿は、底部と側部を有し、前記底部と前記側部の境界線を介して一体的に形成されている凹凸付皿であって、前記底部の上面には、前記境界線の一部または全部から予め定められた長さの領域に、予め定められた高さを有するスペーサーが設けられており、前記スペーサーの内側の前記底部の上面に、予め定められた高さの凹凸が形成されており、前記スペーサーの予め定められた高さが、前記凹凸の予め定められた高さより、大きくなるように形成されていることを特徴とする。
【０００７】
本考案に係る凹凸付皿の態様について、前記凹凸は、複数の半円状の突起であり、前記スペーサーの予め定められた高さが、前記複数の半円状の突起のそれぞれの高さより、大きくなるように形成されていることが好ましい。
【０００８】
本考案に係る凹凸付皿の態様について、前記底部は、長方形状、矩形状、楕円状または円状となるように形成されていることが好ましく、また、合成樹脂、陶器、磁器、漆器、ガラス製、金属製、木製で形成されていることが好ましい。
【考案の効果】
【０００９】
本考案によれば、高齢者、幼児、障害者などの手が不自由な人が、フォークやスプーンで食事をするときに、食物をスプーンですくうことが難しく、食物を口に運ぶのに手間取ること、及び皿とスプーンで食事をするときに、皿の上の食物をスプーンでうまくすくうことができず食物をスプーンで押して滑らせてしまい皿の外に食物を押し出してしまい、テーブルや衣服を汚してしまうことを防止または抑制することができる凹凸付皿を提供することができる。また、本考案の凹凸付皿は、裏側に凹凸が付いているスプーンと共に使用することで、例えば、堅い食物を凹凸付皿の凹凸とスプーンの凹凸を用いて簡易に砕き軟らかくすることができる。本考案は、高齢者のみならず子供や成人においても、食事をスムーズに行うことができるという優れた効果を有している。
【図面の簡単な説明】
【００１０】
【図１】実施形態の凹凸付皿の一例を示す模式図である。
【図２】凹凸付皿の他の実施形態を説明する参考図である。
【考案を実施するための形態】
【００１１】
以下、本考案の凹凸付皿の実施形態を、図１及び図２を用いて説明する。図１（ａ）は、凹凸付皿１００を上面から見た模式図であり、図１（ｂ）は、図１（ａ）のＡ−Ａ断面図であり、高さＨ１及び高さＨ２の部分の拡大を示している。図２（ａ）は、凹凸付皿１００の一例としての正方形状の一例を示している参考図であり、図２（ｂ）は、凹凸付皿１００の一例としての円形状の一例を示している参考図であり、図２（ｃ）は、凹凸付皿１００の一例としての楕円形状の一例を示している参考図である。なお、実施形態の凹凸付皿１００は、合成樹脂、陶器、磁器、漆器、ガラス製、金属製、木製などで形成されているが、これらに限定されず適宜最適な部材を選択すればよい。
【００１２】
凹凸付皿１００は、底部１０と側部２０を有し、底部１０と側部２０との間、つまり接線である境界線３０を介して一体的に形成されている。底部１０の上面には、境界線３０の一部または全部から予め定められた長さＬの領域に、予め定められた高さＨ１を有するスペーサー１０ａが設けられている。
【００１３】
凹凸付皿１００は、例えば角皿であり、底部１０が長方形となっており、対向する短辺の境界線３０からスペーサー１０ａが設けられている。この例においてスペーサー１０ａの長さＬは、略１０ｍｍであり、高さＨ１は、略０．５ｍｍであるが、これらは一例であり限定されず適宜最適な長さ及び高さにすればよい。なお、凹凸付皿１００の底部１０の形状は、長方形状に限定されず、矩形状、楕円状、円状など適宜最適な形状であってもよく、また、スペーサー１０ａについても適宜最適な形状及び領域に設ければよい。
【００１４】
スペーサー１０ａの内側部分の底部１０の上面に、予め定められた高さＨ２の凹凸が設けられており、この例においてこの凹凸は、半円状の突起１０ｂである。この半円状の突起１０ｂの高さＨ２は、略０．２５ｍｍであるが、これは一例であり適宜最適な高さにすればよい。なお、この例において凹凸は、半円状の突起１０ｂであるがこれに限定されず適宜最適な形状にすればよい。
【００１５】
上記のスペーサー１０ａの予め定められた高さＨ１と、凹凸の予め定められた高さである半円状の突起１０ｂの予め定められた高さＨ２において、本考案の特徴として、スペーサー１０ａ高さＨ１が、半円状の突起１０ｂの高さＨ２より、大きくなるように形成されている。
【００１６】
凹凸付皿１００は、半円状の突起１０ｂを有していることにより、例えば、堅い食物を凹凸付皿の凹凸とスプーン簡易に砕き軟らかくすることができる。また、裏側に凹凸が付いているスプーンと共に使用することで、堅い食物を凹凸付皿の凹凸とスプーンの凹凸を用いることにより、より効果的に硬い食物を簡易に砕き軟らかくすることができる。
【００１７】
また、上記のとおり高さＨ１が高さＨ２よりも高く形成されていることにより、例えば、スプーンで底部１０に盛られている食物をすくい食する場合に、スプーンが、半円状の突起１０ｂの高さＨ２より高くなるように形成されている高さＨ１のスペーサー１０ａに当接することにより、スプーンが側部２０に当接することを防止または抑制することができ、食物が皿の外にこぼれ落ちテーブルを汚してしまうことを防止または抑制することができる。
【００１８】
このような特徴を有する構成により凹凸付皿１００は、上記のとおり、皿の上の食物をスプーンでうまくすくうことができず食物をスプーンで押して滑らせ、皿の外に食物を押し出しテーブルや衣服を汚してしまうことを防止または抑制することができる。すなわち、凹凸付皿１００は、凹凸の一例である半円状の突起１０ｂがあることにより、皿の上のスプーンの滑りが抑制され、そしてスペーサー１０ａにスプーンが当接することにより食物が押し出されることが防止または抑制される。このような本考案の凹凸付皿１００は、高齢者など、例えば手の不自由な方にとって、安心して食事をすることができる優れたものである。
【００１９】
以上、本考案の有する特徴及び優れた点を上記実施形態に記載したが、本考案は、本願の実用新案登録請求の範囲で使用されている言葉を広く一般的な意味に拡張して実施することができる。
【００２０】
また、本考案の凹凸付皿は、大きさや形状、素材の種類、厚さ、重さなどについては多様な実施形態が可能であり、それらについて本実施形態と異なる形態による実施は、本考案の技術的範囲に含まれる。
【符号の説明】
【００２１】
１００  凹凸付皿
１０    底部
１０ａ  スペーサー
１０ｂ  半円状の突起
２０    側部
３０    境界線
Ｌ      境界線からの長さ
Ｈ１    スペーサーの高さ
Ｈ２    半円状の突起の高さ
【図１】
0003221436.tif 000003
【図２】
0003221436.tif 000004
【手続補正書】
【提出日】平成31年3月28日(2019.3.28)
【手続補正１】
【補正対象書類名】実用新案登録請求の範囲
【補正対象項目名】全文
【補正方法】変更
【補正の内容】
【実用新案登録請求の範囲】
【請求項１】
底部と側部を有し、前記底部と前記側部の境界線を介して一体的に形成されている凹凸付皿であって、
前記底部の上面には、前記境界線の一部または全部から予め定められた長さの領域に、予め定められた高さを有するスペーサーが設けられており、
前記スペーサーの内側の前記底部の上面に、予め定められた高さの凹凸が形成されており、
前記スペーサーの予め定められた高さが、前記凹凸の予め定められた高さより、大きくなるように形成されていることを特徴とする凹凸付皿。
【請求項２】
前記凹凸は、複数の半円状の突起であり、
前記スペーサーの予め定められた高さが、前記複数の半円状の突起のそれぞれの高さより、大きくなるように形成されていることを特徴とする請求項１に記載の凹凸付皿。
【請求項３】
前記底部は、長方形状、矩形状、楕円状または円状となるように形成されていることを特徴とする請求項１または請求項２に記載の凹凸付皿。
【請求項４】
合成樹脂、陶器、磁器、漆器、ガラス製、金属製、または木製で形成されていることを特徴とする請求項１から請求項３のいずれかに記載の凹凸付皿。